(57)【要約】本発明は、端末のトリガリングをショートメッセージで行う通信システムであって、発信元情報と、発信元の正当性に関するセキュリティ情報とを少なくとも含むトリガリングのショートメッセージを生成する生成部と、発信元の正当性を前記セキュリティ情報に基づいて判定する判定部とを有する通信システムである。
2017022643.tif 000002
【特許請求の範囲】
【請求項１】
端末のトリガリングをショートメッセージで行う通信システムであって、
発信元情報と、前記発信元の正当性に関するセキュリティ情報とを少なくとも含むトリガリングのショートメッセージを生成する生成部と、
前記発信元の正当性を前記セキュリティ情報に基づいて判定する判定部と
を有する通信システム。
【請求項２】
ＳＭＥ（Short Message Entity）が前記生成部を有し、
ＳＭＳ−ＳＣ（Short Message Service-Service Centre）が前記判定部を有する
請求項１に記載の通信システム。
【請求項３】
前記生成部は、所定のセキュリティコードを公開鍵で暗号化して、前記セキュリティ情報を生成し、
前記判定部は、前記セキュリティ情報を秘密鍵で復号し、復号されたセキュリティコードと、記憶しているセキュリティコードとを照合することにより、前記発信元の正当性を判定する
請求項１又は請求項２に記載の通信システム。
【請求項４】
端末のトリガリングするショートメッセージを生成する通信装置であって、
発信元情報と、前記発信元の正当性を確認するセキュリティ情報とを少なくとも含むトリガリングのショートメッセージを生成する生成部を
有する通信装置。
【請求項５】
前記通信装置が、ＳＭＥ（Short Message Entity）である
請求項４に記載の通信装置。
【請求項６】
前記生成部は、所定のセキュリティコードを公開鍵で暗号化して、前記セキュリティ情報を生成する
請求項４又は請求項５に記載の通信装置。
【請求項７】
端末をトリガリングするショートメッセージの判定を行う通信装置であって、
発信元情報と、前記発信元の正当性に関するセキュリティ情報とを少なくとも含むトリガリングのショートメッセージを受信する受信部と、
前記発信元の正当性を前記セキュリティ情報に基づいて判定する判定部と
を有する通信装置。
【請求項８】
前記通信装置が、ＳＭＳ−ＳＣ（Short Message Service-Service Centre）である
請求項７に記載の通信装置。
【請求項９】
前記セキュリティ情報は、所定のセキュリティコードが公開鍵で暗号化されており、
前記判定部は、前記セキュリティ情報を秘密鍵で復号し、復号されたセキュリティコードと、記憶しているセキュリティコードとを照合することにより、前記発信元の正当性を判定する
請求項７又は請求項８に記載の通信装置。
【請求項１０】
端末のトリガリングをショートメッセージで行う通信方法であって、
発信元情報と、前記発信元の正当性を確認するセキュリティ情報とを少なくとも含むトリガリングのショートメッセージを生成し、
前記ショートメッセージを受信し、前記発信元の正当性を前記セキュリティ情報に基づいて判定する
通信方法。
【請求項１１】
ＳＭＥ（Short Message Entity）が前記ショートメッセージを生成し、
ＳＭＳ−ＳＣ（Short Message Service-Service Centre）が、前記発信元ア情報の正当性を前記セキュリティ情報に基づいて判定する
請求項１０に記載の通信方法。
【請求項１２】
所定のセキュリティコードを公開鍵で暗号化して、前記セキュリティ情報を生成し、
前記セキュリティ情報を秘密鍵で復号し、復号されたセキュリティコードと、記憶しているセキュリティコードとを照合することにより、前記発信元の正当性を判定する
請求項１０又は請求項１１に記載の通信方法。
【請求項１３】
端末のトリガリングするショートメッセージを生成するプログラムであって、
発信元情報と、前記発信元の正当性を確認するセキュリティ情報とを少なくとも含むトリガリングのショートメッセージを生成する生成処理を通信装置のプロセッサに実行させるプログラム。
【請求項１４】
前記通信装置が、ＳＭＥ（Short Message Entity）である
請求項１３に記載のプログラム。
【請求項１５】
前記生成処理は、所定のセキュリティコードを公開鍵で暗号化して、前記セキュリティ情報を生成する
請求項１３又は請求項１４に記載のプログラム。
【請求項１６】
端末をトリガリングするショートメッセージの判定を行うプログラムであって、
発信元情報と、前記発信元の正当性に関するセキュリティ情報とを少なくとも含むトリガリングのショートメッセージを受信する受信処理と、
前記発信元の正当性を前記セキュリティ情報に基づいて判定する判定処理と
を通信装置のプロセッサに実行させるプログラム。
【請求項１７】
前記通信装置が、ＳＭＳ−ＳＣ（Short Message Service-Service Centre）である
請求項１６に記載のプログラム。
【請求項１８】
前記セキュリティ情報は、所定のセキュリティコードが公開鍵で暗号化されており、
前記判定処理は、前記セキュリティ情報を秘密鍵で復号し、復号されたセキュリティコードと、記憶しているセキュリティコードとを照合することにより、前記発信元の正当性を判定する
請求項１６又は請求項１７に記載のプログラム。
【発明の詳細な説明】
【技術分野】
【０００１】
本発明は、通信システム、通信装置、通信方法及びプログラムに関する。
【背景技術】
【０００２】
現在、例えば、セルラ通信機能は、携帯電話やスマートフォンなどの音声通話やデータ通信で利用されるだけでなく、マシンタイプ通信向けの機器（ＭＴＣデバイスとも呼ばれる）でも広く利用されており、ＭＴＣデバイスを含む通信端末（以下、ＵＥ（User Equipment）又は通信端末と記載する）の数は増加している。【０００３】
多くのマシンタイプ通信（ＭＴＣ）アプリケーションでは、ＭＴＣデバイス側から起動する通信方式と、ネットワーク側からＭＴＣデバイスを起動する通信方式、いずれも必要となる。ネットワーク側からＭＴＣデバイスを起動する通信方式としてはトリガリングがある。このトリガリングはアプリケーションからネットワークを介してＭＴＣデバイスを起動し、通信コネクションを確立するために行うものである。【０００４】
3GPP ではＭＴＣデバイスに対するトリガリング方法についての検討が行われており、3GPP TR 23.888では、複数の方法が提案されている。その一つの方法がショートメッセージ・サービス（ＳＭＳ）を使用する方法である。【０００５】
また3GPP TS 23.682では、図７に示す如く、マシンタイプ通信（MTC）のアーキテクチャを定義している。このアーキテクチャでは、外部のアプリケーション・サーバ（ＡＳ）からMTCサーバ(SCS: Service Capability Server)、MTC-IWF(MTC-Interworking Function)などのネットワークノードを経由してＵＥ（ＭＴＣデバイス）をトリガリングするものである。なおMTC-IWFは、スタンドアロンエンティティまたは別のネットワーク要素の機能エンティティであってもよい。また、ＭＴＣデバイスは、携帯電話などのコンピューティングデバイス、センサ、アクチュエータであってもよい。【０００６】
更に、図７に示す3GPP MTCアーキテクチャでは「制御プレーン」のインタフェースとしてTsp、T4、T5a,b,cインタフェースを定義しており、ＭＴＣサーバはTspインタフェースを介してMTC-IWFと通信する。制御プレーンは、一般に、ネットワーク上のトラフィックを運ぶシグナリングの通信経路であり、データプレーン、転送プレーン、キャリアプレーン、またはベアラプレーンとしても知られている。【０００７】
一方、MTCデバイスは、通常ネットワークの「ユーザプレーン」を介してMTCサーバと通信する。ユーザプレーンは、音声通信やデータ通信などのユーザトラフィック（例えば、電子メールやインターネットのウェブ情報）を伝送する通信経路である。セルラ通信での制御プレーンのメッセージの例としては、ページングメッセージ、ショートメッセージサービスメッセージ、ロケーションエリア更新メッセージ、デタッチメッセージ、アタッチメッセージなどがある。【０００８】
デバイストリガリングは、アプリケーションサーバ（AS）のようなネットワーク・エンティティによって開始され、通常ネットワークの制御プレーンを介して、デバイスに送信されるメッセージである。デバイストリガリングは、制御プレーン上で送信されるため、IPアドレスは必要とされない代わりに、移動局国際加入者ディレクトリ番号（MSISDN）又はユニフォームリソース識別子（URI）のような外部識別子（External Identifier）を必要とする。【０００９】
図７に示す3GPPアーキテクチャでは、外部アプリケーションサーバ（AS）はMTC-サーバにトリガリング要求メッセージを送り、これを受けたMTCサーバはTspインタフェースを介してMTC-IWFにトリガリング要求を行う。MTC-IWFは、MTCサーバからのトリガ要求を受信すると、HSSと連携してトリガリング要求メッセージの内容から送信元のMTCサーバの認証を行う。認証された場合、MTCデバイスの外部識別子またはMSISDN番号と、国際移動加入者識別子（IMSI）などの内部識別子との間のマッピングを行い、T4およびT5a,b,cなどのコントロールプレーンインタフェースを介してMTCデバイスをトリガリングする。またMTC-IWFは、T4、T5a,b,cインタフェースを介して受信した結果をもとにMTCサーバにトリガ配信の成功または失敗を報告するという動作を行う。【００１０】
SMS-SC（Short Message Service-Service Centre）は、IMSIをもとに上記トリガリング情報を含むトリガリング要求を、MME/SGSN/MSCに送り、MME/SGSN/MSCから基地局を経由してＭＴＣデバイスにトリガリングメッセージが送られる。トリガリングメッセージを受信したＭＴＣデバイスは、トリガリングメッセージが受け入れ可能な場合、その応答としてネットワーク接続要求信号をMME/SGSN/MSCに送り、MME/SGSN/MSCからSMS-SCを経由してMTC-IWF、そしてMTCサーバに到達し、MTCデバイスとMTCサーバ間に通信コネクションが確立される。【００１１】
更に、図７に示す3GPPアーキテクチャでは、SMS-SCと3GPPの外部ショートメッセージ・エンティティ（SME: Short Message Entity）とを接続する参照ポイントとしてTsmsインタフェースを定義している。SMEはショートメッセージの送受信を行うものと規定され、例えば、ショートメッセージを送受信できるスマートフォンや携帯電話などの携帯端末や、それらの機能を持つ装置等である。そして、3GPPネットワークにおいては、SMEはTsmsインタフェースを介したショートメッセージ（SMS）を使い、MTCデバイスをトリガリングすることで、MTCデバイスとの通信を確立することが可能である。
【先行技術文献】
【非特許文献】
【００１２】
【非特許文献１】“3rd Generation Partnership Project; Technical Specification Group Services and System Aspects; System Improvements for Machine-Type Communications”, 3GPP TR 23.888.
【非特許文献２】“3rd Generation Partnership Project; Technical Specification Group Services and System Aspects; Architecture Enhancements to facilitate communications with Packet Data Networks and Applications”, 3GPP TS 23.682.
【非特許文献３】“3rd Generation Partnership Project; Technical Specification Group Core Network and Terminals; Technical realization of the Short Message Service (SMS)”, 3GPP TS 23.040
【発明の概要】
【発明が解決しようとする課題】
【００１３】
3GPP TS 23.040によれば、SMS-SCは、SME（Short Message Entity）から受信したSMSメッセージ内のプロトコル識別子（TP-PID: TP Protocol Identifier）に、「Device Triggering Short Message」コードが確認できた場合、このSMSメッセージを通常のSMSメッセージではなく、トリガリングメッセージと判定する。そして、SMS-SCは、発信元アドレス「OA: Originating Address」のチェックを行い、発信元アドレスがリストに登録されたものであれば信頼できる発信元であると判定してSMSメッセージによるトリガリング手順を先に進める。一方、逆にリストに登録されていない場合、トリガリング手順をストップする。特に、トリガリングの発信元がSMEである場合、MTCサーバの認証等がなく、SMS-SC（Short Message Service-Service Centre）による発信元アドレス「OA: Originating Address」のチェックが行われるにすぎない。発信元アドレスがなりすましによる偽の発信元であっても前記リストに登録されていれば、信頼できる発信元としてトリガリング手順を進めざるを得ない。つまりSMSを使ったMTCデバイスのトリガリング方法は、外部からのなりすましによる偽トリガリングに対する防御が弱いという課題があった。【００１４】
そこで、本発明は上記課題に鑑みて発明されたものであって、本発明の目的は、端末を起動させるトリガリングにショートメッセージを使用した場合であっても、安全なトリガリングを行うことができる通信システム、通信装置、通信方法及びプログラムを提供することである。
【課題を解決するための手段】
【００１５】
本発明の一態様は、端末のトリガリングをショートメッセージで行う通信システムであって、発信元情報と、前記発信元の正当性に関するセキュリティ情報とを少なくとも含むトリガリングのショートメッセージを生成する生成部と、前記発信元の正当性を前記セキュリティ情報に基づいて判定する判定部とを有する通信システムである。【００１６】
本発明の一態様は、端末のトリガリングするショートメッセージを生成する通信装置であって、発信元情報と、前記発信元の正当性を確認するセキュリティ情報とを少なくとも含むトリガリングのショートメッセージを生成する生成部を有する通信装置である。【００１７】
本発明の一態様は、端末をトリガリングするショートメッセージの判定を行う通信装置であって、発信元情報と、前記発信元の正当性に関するセキュリティ情報とを少なくとも含むトリガリングのショートメッセージを受信する受信部と、前記発信元の正当性を前記セキュリティ情報に基づいて判定する判定部とを有する通信装置である。【００１８】
本発明の一態様は、端末のトリガリングをショートメッセージで行う通信方法であって、発信元情報と、前記発信元の正当性を確認するセキュリティ情報とを少なくとも含むトリガリングのショートメッセージを生成し、前記ショートメッセージを受信し、前記発信元の正当性を前記セキュリティ情報に基づいて判定する通信方法である。【００１９】
本発明の一態様は、端末のトリガリングするショートメッセージを生成するプログラムであって、発信元情報と、前記発信元の正当性を確認するセキュリティ情報とを少なくとも含むトリガリングのショートメッセージを生成する生成処理を通信装置のプロセッサに実行させるプログラムである。【００２０】
本発明の一態様は、端末をトリガリングするショートメッセージの判定を行うプログラムであって、発信元情報と、前記発信元の正当性に関するセキュリティ情報とを少なくとも含むトリガリングのショートメッセージを受信する受信処理と、前記発信元の正当性を前記セキュリティ情報に基づいて判定する判定処理とを通信装置のプロセッサに実行させるプログラムである。
【発明の効果】
【００２１】
本発明によれば、端末を起動させるトリガリングにショートメッセージを使用した場合であっても、安全なトリガリングを行うことができる。
【図面の簡単な説明】
【００２２】
【図１】図１は本発明の第１の実施の形態のブロック図である。
【図２】図２は本発明の第２の実施の形態のブロック図である。
【図３】図３はTS-DELIVER.REGを説明するための図である。
【図４】図４は本発明の第２の実施の形態の動作を説明するための図である。
【図５】図５は発明の第２の実施の形態におけるSME１０の他の態様を示す図である。
【図６】図６は発明の第２の実施の形態におけるSMS-SC２０の他の態様を示す図である。
【図７】図７は本発明の関連技術を説明するための図である。
【発明を実施するための形態】
【００２３】
本発明の実施の形態を説明する。
【００２４】
図１は、本発明の第１の実施の形態のブロック図である。
【００２５】
本発明の第１の実施の形態は、端末のトリガリングをショートメッセージで行う通信システムであって、発信元情報と、前記発信元の正当性に関するセキュリティ情報とを少なくとも含むトリガリングのショートメッセージを生成する生成部１と、前記発信元(情報)の正当性を前記セキュリティ情報に基づいて判定する判定部２とを有する通信システムである。
【００２６】
生成部１は、例えば、ＳＭＥ（Short Message Entity）等に配置される。生成部１が生成する端末を起動させるトリガリング命令は、ショートメッセージで生成される。ショートメッセージには、プロトコル識別子（TP Protocol Identifier: TP-PID）として、ショートメッセージがトリガリングを要求するトリガリングメッセージであることを示す情報（例えば、Device Triggering Short Message）と、発信元情報（例えば、発信元アドレス情報(OA: Originating Address)）とを少なくとも含む。
【００２７】
更に、本実施の形態では、生成部１は、上記情報に加えて、発信元の正当性を確認するセキュリティ情報（例えば、セキュリティコード）を、ショートメッセージに含める。セキュリティコードは、発信元の正当性を確認することができるものであれば問わないが、例えば、乱数表、時刻情報、履歴情報に基づいたセキュリティコードや、任意の情報を公開鍵方式で暗号化してセキュリティコードにしても良い。
【００２８】
判定部２は、例えば、ＳＭＳ−ＳＣ（Short Message Service-Service Centre）等に配置される。判定部２は、受信したショートメッセージのトリガリングメッセージであることを示す情報（例えば、Device Triggering Short Message）を取得し、受信したショートメッセージがトリガリングメッセージであるかを判断する。受信したショートメッセージがトリガリングメッセージである場合には、発信元情報（例えば、OA: Originating Address）を取得し、発信元情報が自己のリストに登録されたものであるかを判断する。
【００２９】
次に、判定部２は、発信元情報がリストに登録されたものである場合には、セキュリティ情報に基づいて発信元の正当性を確認する。ここで、発信元の正当性とは、例えば、発信元SMEのアドレス（OA）が、SMS-SCのリストに登録されているもので、着信アドレス端末(例えば、UE)に対してトリガリングの送信が許可されている信頼されたSMEアドレス等である。また、他の表現では、正当性な発信元のトリガリング信号とは、例えば、3GPP TS 23.040には、「trusted SME」：信頼できるSMEから発信されたトリガリング信号という表現がある。また、他の表現では、3GPP TS 33.187 には、「a legitimate trigger SM」があり、正当なトリガショートメッセージという表現もある。
【００３０】
発信元の正当性をセキュリティ情報に基づいて確認する方法は、生成部１と判定部２との間で、発信元の正当性をどのようにセキュリティ情報に基づいて確認するかを、予め決定しておく。確認方法の種類は問わないが、例えば、セキュリティ情報が任意のコードである場合、そのコードを生成部１と判定部２との間で予め持合いそれを確認する方法がある。更に、任意の情報を公開鍵方式で暗号化して正当性を確認しても良い。また、セキュリティ情報が履歴情報の場合では、トリガリングメッセージの送受信の履歴を生成部１と判定部２との間で互いに持ち、それを確認しても良い。そして、発信元の正当性が確認できた場合は、受信したショートメッセージが信頼できるSMEから発信されたものであると判定し、トリガリング手順を先に進める。
【００３１】
このように、外部からの端末（MTCデバイス）に対するショートメッセージ（SMS）を使ったトリガリング信号が、信頼できる発信元（例えば、SME）から発信されたものかどうかを検証する方法を追加することにより、ショートメッセージ（SMS）を使った場合でもより安全に、外部からの端末（MTCデバイス）をトリガリングすることができる。
【００３２】
本発明の第２の実施の形態を説明する。
【００３３】
本発明の第２の実施の形態は、図７に示した3GPPアーキテクチャにおいて、SMEが生成部１を有し、SMS-SCが判定部２を有し、SMEとSMS-SCとを接続する参照ポイントがTsmsインタフェースである場合を説明する。
【００３４】
図２は、本発明の第２の実施の形態のブロック図である。
【００３５】
図２中、１０はSMEであり、２０はSMS-SCである。
【００３６】
SME１０は、生成部１１を備えている。生成部１１は、外部のＵＥ（MTCデバイス）をトリガリングするためのショートメッセージ（SMS）である、TS-DELIVER.REGメッセージを生成する。生成するTS-DELIVER.REGは、図３に示す通りである。
【００３７】
ここで、”OA”は「Originating Address」であり、発信元アドレスである。本実施の形態では、発信元情報として、発信元アドレス(OA: Originating Address)を用いる場合を説明する。生成部１は、”OA”に自己のアドレスを挿入する。
【００３８】
また、”PID”は「TP Protocol Identifier」であり、プロトコル識別子である。3GPP TS 23.040 9.2.3.9項ではTP Protocol Identifierの下位５ビットが” 001000”である場合、このメッセージは「デバイストリガリング・ショートメッセージ」と認識される。従って、生成部１１は、”PID”に、” 001000”を挿入する。
【００３９】
更に、ＳＥＣは、発信元アドレス”OA”の正当性を確認するためのセキュリティコードである。
【００４０】
SMS-SC２０は、判定部２１を有する。本実施の形態では、ＳＭＳ−ＳＣ２０において、所定のセキュリティコードと、公開鍵及び秘密鍵とを決定しておき、公開鍵を、ＳＭＥ１０に送信する。そして、受信したショートメッセージのトリガリングメッセージであることを示す情報（例えば、プロトコル識別子（TP Protocol Identifier: TP-PID）を取得し、受信したショートメッセージがトリガリングメッセージであるかを判断する。受信したショートメッセージがトリガリングメッセージである場合には、そのトリガリングメッセージの正当性を判定する。
【００４１】
尚、SME１０の生成部１１では、受信したセキュリティコードと、公開鍵とを記憶する。そして、生成部１１は、トリガリングメッセージ（TS-DELIVER.REG）を発生するとき、記憶しているセキュリティコードを、公開鍵で暗号化し、この暗号化したセキュリティコードを、ＳＥＣとしてトリガリングメッセージ（TS-DELIVER.REG）に付加する。
【００４２】
このような構成において、動作を説明する。図４は本発明の第２の実施の形態の動作を説明するための図である。
【００４３】
まず、SMS-SC２０は、所定のセキュリティコードと、公開鍵及び秘密鍵とを決定する（Ｓｔｅｐ１００）。そして、SMS-SC２０は、決定したセキュリティコードと、公開鍵とを、ＳＭＥに送信する（Ｓｔｅｐ１０１）。ＳＭＥは、受信したセキュリティコードと、公開鍵とを記憶する（Ｓｔｅｐ１０２）。
【００４４】
続いて、ＵＥをトリガリングする場合、ＳＭＥ１０は、トリガリングメッセージ（TS-DELIVER.REG）を発生する（Ｓｔｅｐ１０３）。このとき、記憶しているセキュリティコードを、公開鍵で暗号化し、この暗号化したセキュリティコードを、トリガリングメッセージ（TS-DELIVER.REG）に付加してトリガリングメッセージ（TS-DELIVER.REG）を生成する（Ｓｔｅｐ１０４）。そして、生成したトリガリングメッセージ（TS-DELIVER.REG）を、SMS-SC２０に送信する（Ｓｔｅｐ１０５）。
【００４５】
SMS-SC２０は、SMSメッセージを受信すると、SMSメッセージ内の、プロトコル識別子（TP Protocol Identifier: TP-PID）に、「Device Triggering Short Message」コード「001000」が確認できた場合、発信元アドレス「OA: Originating Address」をチェックする（Ｓｔｅｐ１０６）。発信元アドレスがリストに登録されたものであれば、セキュリティコードの確認を行うため、セキュリティコードを記憶している秘密鍵で復号する（Ｓｔｅｐ１０６）。そして、復号したセキュリティコードが記憶しているセキュリティコードと同じであるかの判定を行う（Ｓｔｅｐ１０７）。復号したセキュリティコードが記憶しているセキュリティコードと同じである場合には、信頼できる発信元であると判断してSMSメッセージによるトリガリング手順を次に進める（Ｓｔｅｐ１０８）。一方、復号したセキュリティコードが記憶しているセキュリティコードと相違する場合には、トリガリング処理を停止し、そのSMSメッセージを破棄する（Ｓｔｅｐ１０９）。
【００４６】
本実施の形態によれば、無線通信ネットワークにおける、SMSを使ったMTCデバイスのトリガリングについても、外部からのなりすましによる偽トリガリングに対する防御ができる。
【００４７】
尚、上述した実施の形態では、各部をハードウェアで構成したが、上述した動作の処理を情報処理装置（ＣＰＵ等のプロセッサ）に行わせるプログラムによっても構成できる。この場合、プログラムメモリに格納されているプログラムで動作するプロセッサによって、上述した実施の形態と同様の機能、動作を実現させる。
【００４８】
例えば、SME１０は、図５に示す如く、メモリ１００と、ＣＰＵ１０１とから構成されるコンピュータシステムによって実現可能である。この場合、メモリ１００には、上述した生成部１１に対応する処理を行うプログラムが格納されている。そして、ＣＰＵ１０１がメモリ１００に格納されているプログラムを実行することで、生成部１１の機能が実現される。
【００４９】
同様に、SMS-SC２０は、図６に示す如く、メモリ２００と、ＣＰＵ２０１とから構成されるコンピュータシステムによって実現可能である。この場合、メモリ２００には、上述した判定部２１に対応する処理を行うプログラムが格納されている。そして、ＣＰＵ２０１がメモリ２００に格納されているプログラムを実行することで、判定部２１の機能が実現される。
【００５０】
また、上記の実施形態の一部又は全部は、以下の付記のようにも記載されうるが、以下には限られない。
【００５１】
［付記１］
端末のトリガリングをショートメッセージで行う通信システムであって、
発信元情報と、前記発信元の正当性に関するセキュリティ情報とを少なくとも含むトリガリングのショートメッセージを生成する生成部と、
前記発信元の正当性を前記セキュリティ情報に基づいて判定する判定部と
を有する通信システム。
【００５２】
［付記２］
ＳＭＥ（Short Message Entity）が前記生成部を有し、
ＳＭＳ−ＳＣ（Short Message Service-Service Centre）が前記判定部を有する
付記１に記載の通信システム。
【００５３】
［付記３］
前記生成部は、所定のセキュリティコードを公開鍵で暗号化して、前記セキュリティ情報を生成し、
前記判定部は、前記セキュリティ情報を秘密鍵で復号し、復号されたセキュリティコードと、記憶しているセキュリティコードとを照合することにより、前記発信元の正当性を判定する
付記１又は付記２に記載の通信システム。
【００５４】
［付記４］
端末のトリガリングするショートメッセージを生成する通信装置であって、
発信元情報と、前記発信元の正当性を確認するセキュリティ情報とを少なくとも含むトリガリングのショートメッセージを生成する生成部を
有する通信装置。
【００５５】
［付記５］
前記通信装置が、ＳＭＥ（Short Message Entity）である
付記４に記載の通信装置。
【００５６】
［付記６］
前記生成部は、所定のセキュリティコードを公開鍵で暗号化して、前記セキュリティ情報を生成する
付記４又は付記５に記載の通信装置。
【００５７】
［付記７］
端末をトリガリングするショートメッセージの判定を行う通信装置であって、
発信元情報と、前記発信元の正当性に関するセキュリティ情報とを少なくとも含むトリガリングのショートメッセージを受信する受信部と、
前記発信元の正当性を前記セキュリティ情報に基づいて判定する判定部と
を有する通信装置。
【００５８】
［付記８］
前記通信装置が、ＳＭＳ−ＳＣ（Short Message Service-Service Centre）である
付記７に記載の通信装置。
【００５９】
［付記９］
前記セキュリティ情報は、所定のセキュリティコードが公開鍵で暗号化されており、
前記判定部は、前記セキュリティ情報を秘密鍵で復号し、復号されたセキュリティコードと、記憶しているセキュリティコードとを照合することにより、前記発信元の正当性を判定する
付記７又は付記８に記載の通信装置。
【００６０】
［付記１０］
端末のトリガリングをショートメッセージで行う通信方法であって、
発信元情報と、前記発信元の正当性を確認するセキュリティ情報とを少なくとも含むトリガリングのショートメッセージを生成し、
前記ショートメッセージを受信し、前記発信元の正当性を前記セキュリティ情報に基づいて判定する
通信方法。
【００６１】
［付記１１］
ＳＭＥ（Short Message Entity）が前記ショートメッセージを生成し、
ＳＭＳ−ＳＣ（Short Message Service-Service Centre）が、前記発信元ア情報の正当性を前記セキュリティ情報に基づいて判定する
付記１０に記載の通信方法。
【００６２】
［付記１２］
所定のセキュリティコードを公開鍵で暗号化して、前記セキュリティ情報を生成し、
前記セキュリティ情報を秘密鍵で復号し、復号されたセキュリティコードと、記憶しているセキュリティコードとを照合することにより、前記発信元の正当性を判定する
付記１０又は付記１１に記載の通信方法。
【００６３】
［付記１３］
端末のトリガリングするショートメッセージを生成するプログラムであって、
発信元情報と、前記発信元の正当性を確認するセキュリティ情報とを少なくとも含むトリガリングのショートメッセージを生成する生成処理を通信装置のプロセッサに実行させるプログラム。
【００６４】
［付記１４］
前記通信装置が、ＳＭＥ（Short Message Entity）である
付記１３に記載のプログラム。
【００６５】
［付記１５］
前記生成処理は、所定のセキュリティコードを公開鍵で暗号化して、前記セキュリティ情報を生成する
付記１３又は付記１４に記載のプログラム。
【００６６】
［付記１６］
端末をトリガリングするショートメッセージの判定を行うプログラムであって、
発信元情報と、前記発信元の正当性に関するセキュリティ情報とを少なくとも含むトリガリングのショートメッセージを受信する受信処理と、
前記発信元の正当性を前記セキュリティ情報に基づいて判定する判定処理と
を通信装置のプロセッサに実行させるプログラム。
【００６７】
［付記１７］
前記通信装置が、ＳＭＳ−ＳＣ（Short Message Service-Service Centre）である
付記１６に記載のプログラム。
【００６８】
［付記１８］
前記セキュリティ情報は、所定のセキュリティコードが公開鍵で暗号化されており、
前記判定処理は、前記セキュリティ情報を秘密鍵で復号し、復号されたセキュリティコードと、記憶しているセキュリティコードとを照合することにより、前記発信元の正当性を判定する
付記１６又は付記１７に記載のプログラム。
【００６９】
以上好ましい実施の形態をあげて本発明を説明したが、本発明は必ずしも上記実施の形態に限定されるものではなく、その技術的思想の範囲内において様々に変形し実施することが出来る。
【００７０】
本出願は、２０１５年８月５日に出願された日本出願特願２０１５−１５５２８６号を基礎とする優先権を主張し、その開示の全てをここに取り込む。
【符号の説明】
【００７１】
１      生成部
２      判定部
１０    SME
１１    生成部
２０    SMS-SC
２１    判定部
１００  メモリ
１０１  ＣＰＵ
２００  メモリ
２０１  ＣＰＵ
【図１】
2017022643.tif 000003
【図２】
2017022643.tif 000004
【図３】
2017022643.tif 000005
【図４】
2017022643.tif 000006
【図５】
2017022643.tif 000007
【図６】
2017022643.tif 000008
【図７】
2017022643.tif 000009
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
端末のトリガリングをショートメッセージで行う通信システムであって、
発信元情報と、前記発信元の正当性に関するセキュリティ情報とを少なくとも含むトリガリングのショートメッセージを生成する生成部と、
前記発信元の正当性を前記セキュリティ情報に基づいて判定する判定部と、
を有する通信システム。
【請求項２】
ＳＭＥ（Short Message Entity）が前記生成部を有し、
ＳＭＳ−ＳＣ（Short Message Service-Service Centre）が前記判定部を有する、
請求項１に記載の通信システム。
【請求項３】
前記生成部は、所定のセキュリティコードを公開鍵で暗号化して、前記セキュリティ情報を生成し、
前記判定部は、前記セキュリティ情報を秘密鍵で復号し、復号されたセキュリティコードと、記憶しているセキュリティコードとを照合することにより、前記発信元の正当性を判定する、
請求項１又は請求項２に記載の通信システム。
【請求項４】
端末のトリガリングするショートメッセージを生成する通信装置であって、
発信元情報と、前記発信元の正当性を確認するセキュリティ情報と、を少なくとも含むトリガリングのショートメッセージを生成する生成部を有する通信装置。
【請求項５】
前記通信装置が、ＳＭＥ（Short Message Entity）である、
請求項４に記載の通信装置。
【請求項６】
前記生成部は、所定のセキュリティコードを公開鍵で暗号化して、前記セキュリティ情報を生成する、
請求項４又は請求項５に記載の通信装置。
【請求項７】
端末をトリガリングするショートメッセージの判定を行う通信装置であって、
発信元情報と、前記発信元の正当性に関するセキュリティ情報とを少なくとも含むトリガリングのショートメッセージを受信する受信部と、
前記発信元の正当性を前記セキュリティ情報に基づいて判定する判定部と、
を有する通信装置。
【請求項８】
前記通信装置が、ＳＭＳ−ＳＣ（Short Message Service-ServiceCentre）である、
請求項７に記載の通信装置。
【請求項９】
前記セキュリティ情報は、所定のセキュリティコードが公開鍵で暗号化されており、
前記判定部は、前記セキュリティ情報を秘密鍵で復号し、復号されたセキュリティコードと、記憶しているセキュリティコードとを照合することにより、前記発信元の正当性を判定する、
請求項７又は請求項８に記載の通信装置。
【請求項１０】
端末のトリガリングをショートメッセージで行う通信方法であって、
発信元情報と、前記発信元の正当性を確認するセキュリティ情報と、を少なくとも含むトリガリングのショートメッセージを生成し、
前記ショートメッセージを受信し、前記発信元の正当性を前記セキュリティ情報に基づいて判定する、
通信方法。
【請求項１１】
ＳＭＥ（Short Message Entity）が前記ショートメッセージを生成し、
ＳＭＳ−ＳＣ（Short Message Service-Service Centre）が、前記発信元の正当性を前記セキュリティ情報に基づいて判定する、
請求項１０に記載の通信方法。
【請求項１２】
所定のセキュリティコードを公開鍵で暗号化して、前記セキュリティ情報を生成し、
前記セキュリティ情報を秘密鍵で復号し、復号されたセキュリティコードと、記憶しているセキュリティコードとを照合することにより、前記発信元の正当性を判定する、
請求項１０又は請求項１１に記載の通信方法。
【請求項１３】
端末のトリガリングするショートメッセージを生成するプログラムであって、
発信元情報と、前記発信元の正当性を確認するセキュリティ情報とを少なくとも含むトリガリングのショートメッセージを生成する生成処理を通信装置のプロセッサに実行させるプログラム。
【請求項１４】
前記通信装置が、ＳＭＥ（Short Message Entity）である、
請求項１３に記載のプログラム。
【請求項１５】
前記生成処理は、所定のセキュリティコードを公開鍵で暗号化して、前記セキュリティ情報を生成する、
請求項１３又は請求項１４に記載のプログラム。
【請求項１６】
端末をトリガリングするショートメッセージの判定を行うプログラムであって、
発信元情報と、前記発信元の正当性に関するセキュリティ情報と、を少なくとも含むトリガリングのショートメッセージを受信する受信処理と、
前記発信元の正当性を前記セキュリティ情報に基づいて判定する判定処理と、
を通信装置のプロセッサに実行させるプログラム。
【請求項１７】
前記通信装置が、ＳＭＳ−ＳＣ（Short Message Service-Service Centre）である、
請求項１６に記載のプログラム。
【請求項１８】
前記セキュリティ情報は、所定のセキュリティコードが公開鍵で暗号化されており、
前記判定処理は、前記セキュリティ情報を秘密鍵で復号し、復号されたセキュリティコードと、記憶しているセキュリティコードとを照合することにより、前記発信元の正当性を判定する、
請求項１６又は請求項１７に記載のプログラム。
【手続補正２】
【補正対象書類名】明細書
【補正対象項目名】００６１
【補正方法】変更
【補正の内容】
【００６１】
［付記１１］
ＳＭＥ（Short Message Entity）が前記ショートメッセージを生成し、
ＳＭＳ−ＳＣ（Short Message Service-Service Centre）が、前記発信元の正当性を前記セキュリティ情報に基づいて判定する、
付記１０に記載の通信方法。
【国際調査報告】
2017022643.tif 000010
2017022643.tif 000011